(57)【要約】      （修正有）【課題】  本発明は安全カミソリの替刃容器であって、替刃の保持装置が隔壁に対して隣の収納室方向に変位する構成を有すると共に、容器の底にシェービングエイド乾燥用の窓部も有している容器を提供することを目的とする。また、保持装置を有しながら容器を短くしてコンパクトに形成することを目的とする。【解決手段】  隔壁４と、カートリッジ替刃を保持するための保持装置とを含み、保持装置は、容器１の底１２よりも上側で隔壁４と一体に連結しているが隔壁４に対して変位可能であり、且つ保持装置が隔壁４に対して隣の収納室２、３方向に変位可能となるように、保持装置とその隣の収納室２、３に収納されたカートリッジ替刃との間に距離が置かれている。【選択図】  図１
2006075188.tif 000002
【特許請求の範囲】
【請求項１】
隣接する少なくとも２つの収納室を有し、各収納室の両側に側壁が形成され且つ各収納室の間に仕切構造が設けられたカートリッジ替刃の容器において、仕切構造は、隔壁と、収納されたカートリッジ替刃を保持するための保持装置とを含み、保持装置は、容器の底よりも上側で隔壁と一体に連結しているが隔壁に対して変位可能であり、且つ保持装置が隔壁に対して隣の収納室方向に変位可能となるように、保持装置とその隣の収納室に収納されたカートリッジ替刃との間に距離が置かれていることを特徴とするカートリッジ替刃の容器。
【請求項２】
カートリッジ替刃の出し入れの際にそのカートリッジ替刃に押されて保持装置が最大変位したときに、保持装置がその隣の収納室に収納されたカートリッジ替刃に接触しないだけの距離が、隣のカートリッジ替刃と保持装置との間に置かれている請求項１記載のカートリッジ替刃の容器。
【請求項３】
保持装置は、上方に向かって立ち上がり、且つ隔壁よりも高さが低く形成されている請求項１又は請求項２記載のカートリッジ替刃の容器
【請求項４】
隔壁に切欠きが設けられ、この切欠きの中に保持装置が形成されている請求項３記載のカートリッジ替刃の容器。
【請求項５】
保持装置は、隔壁に対して、その保持装置が保持作用をなす収納室寄りに偏倚して形成されている請求項３又は請求項４記載のカートリッジ替刃の容器
【請求項６】
容器の底に窓部が設けられ、この窓部は、隣り合う収納室の間を渡って形成され、且つ隔壁と同じ方向に延びている請求項１乃至請求項５記載のカートリッジ替刃の容器
【請求項７】
窓部は、切欠きの位置を越えて隔壁と同じ方向に延びている請求項６記載のカートリッジ替刃の容器
【請求項８】
隔壁の両端は側壁と一体につながっている請求項１乃至請求項７記載のカートリッジ替刃の容器
【発明の詳細な説明】
【技術分野】
【０００１】
本発明は、安全カミソリのカートリッジ替刃を収納する容器に関する。
【背景技術】
【０００２】
従来のカートリッジ替刃の容器は、板状の隔壁に２つの切欠きを設け、隔壁の表面であって２つの切欠きの間に保持突部を設け、容器の底に隔壁を跨ぐ窓部を設けたものが存在する（例えば、特許文献１参照。）。また、収納室の仕切構造として隔壁のほかに、容器の底にのみ直接連結されている可撓性の保持フィンガーを立ち上げた構造のものが存在する（例えば、特許文献２参照。）。
【特許文献１】特開２００３−２４１２１号公報
【特許文献２】特公昭６３−１４６０１号公報
【発明の開示】
【発明が解決しようとする課題】
【０００３】
本発明はカートリッジ替刃の出し入れを円滑にすることを課題とする。前記特許文献１の隔壁には保持突起が設けられており、隣の収納室にカートリッジ替刃が収納されていないときは窓部や切欠きの効果で隔壁が容易に撓むのでカートリッジ替刃の出し入れが円滑になる。しかし、隣の収納室にカートリッジ替刃が収納されていると、このカートリッジ替刃によって隔壁の撓みが阻害されるのでカートリッジ替刃の出し入れにかなりの力が必要であり、力の弱い使用者にとって不適であると言える。また、隣のカートリッジ替刃の有無によってカートリッジ替刃の出し入れの際の力が変化して、使用者に違和感を生じさせる要因となるので常に一定の力で容易に出し入れできるようにすることが望ましい。
【０００４】
さらに、特許文献１の容器の底には窓部が設けられている。この理由は次のとおりである。すなわち、髭剃り時にカミソリと皮膚の潤滑性を良好にするためにカートリッジ替刃の上面にシェービングエイドを設けたものが存在する。多くのカートリッジ替刃はその上面の後端寄りに帯状のシェービングエイドを設けてある。このようなシェービングエイド付のカートリッジ替刃を使用した後に再び容器に戻して収納したときに、濡れているシェービングエイドを乾燥させる必要がある。そのために、この帯状のシェービングエイドに対向する容器の底に窓部を設けるのである。しかし、このような窓部を特許文献２には適用することができないのである。特許文献２は、仕切構造として隔壁のほかに、容器の底にのみ直接連結されている可撓性の保持フィンガーを立ち上げたものである。保持フィンガーは隔壁と独立して形成され、隔壁方向の隔壁線付近に設けられている。したがって、このような構成であると特許文献１のように容器の底に窓部を設けたときは、保持フィンガーを立ち上げる底がなくなるので窓部を設けることができない。そこで本発明は、保持装置が隔壁に対して隣の収納室方向に変位する構成を有すると共に、容器の底にシェービングエイド乾燥用の窓部も有している容器を提供することを目的とする。また、特許文献２の保持フィンガーは前述したように隔壁線から少し離れて設けられているから、その離れた分だけ容器の全長が長くなり５以上の収納室を設けたときはその影響が大きいのである。そこで、本発明は保持装置を有しながら容器を短くしてコンパクトに形成することを目的とする。
【課題を解決するための手段】
【０００５】
本発明の請求項１は、隣接する少なくとも２つの収納室を有し、各収納室の両側に側壁が形成され且つ各収納室の間に仕切構造が設けられたカートリッジ替刃の容器において、仕切構造は、隔壁と、収納されたカートリッジ替刃を保持するための保持装置とを含み、保持装置は、容器の底よりも上側で隔壁と一体に連結しているが隔壁に対して変位可能であり、且つ保持装置が隔壁に対して隣の収納室方向に変位可能となるように、保持装置とその隣の収納室に収納されたカートリッジ替刃との間に距離が置かれている構成である。
【０００６】
請求項２は、カートリッジ替刃の出し入れの際にそのカートリッジ替刃に押されて保持装置が最大変位したときに、保持装置がその隣の収納室に収納されたカートリッジ替刃に接触しないだけの距離が、隣のカートリッジ替刃と保持装置との間に置かれている要素が請求項１に限定的に付加された構成である。
【０００７】
請求項３は、保持装置が、上方に向かって立ち上がり、且つ隔壁よりも高さが低く形成されている要素が請求項１又は請求項２に限定的に付加された構成である。
【０００８】
請求項４は、隔壁に切欠きが設けられ、この切欠きの中に保持装置が形成されている要素が請求項３に限定的に付加された構成である。請求項５は、保持装置が、隔壁に対して、その保持装置が保持作用をなす収納室寄りに偏倚して形成されている要素が請求項３又は請求項４に限定的に付加された構成である。
【０００９】
請求項６は、容器の底に窓部が設けられ、この窓部は、隣り合う収納室の間を渡って形成され、且つ隔壁と同じ方向に延びている要素が請求項１乃至請求項５に限定的に付加された構成である。請求項７は、窓部が、切欠きの位置を越えて隔壁と同じ方向に延びている要素が請求項６に限定的に付加された構成である。請求項８は、隔壁の両端が側壁と一体につながっている要素が請求項１乃至請求項７に限定的に付加された構成である。
【発明の効果】
【００１０】
請求項１は、隣接する２つの収納室の仕切構造が、隔壁と、収納されたカートリッジ替刃を保持するための保持装置とを含み、保持装置は、容器の底よりも上側で隔壁と一体に連結しているが隔壁に対して変位可能であり、且つ保持装置が隔壁に対して隣の収納室方向に変位可能となるように、保持装置とその隣の収納室に収納されたカートリッジ替刃との間に距離が置かれている。保持装置は隔壁と一体に連結しているから両者はきわめて近接しており、保持装置を隔壁とは別に形成した場合に比べて仕切構造を薄くすることが可能であって、容器をコンパクトに形成することができる。さらに、この保持装置が隔壁に対して隣の収納室方向に変位可能となるように、保持装置と隣の収納室のカートリッジ替刃の間に距離が置かれている。したがって、隣の収納室に収納されているカートリッジ替刃のために隔壁が撓むことができなくても、カートリッジ替刃の出し入れの際に保持装置は隔壁に対して変位可能で独自に撓むので出し入れが容易であって、力の弱い使用者にとって意義がある。また、隣室のカートリッジ替刃の有無にかかわらず一定の力でカートリッジ替刃を出し入れできる。このように、請求項１は、保持装置を有しながら容器をコンパクトにすることが可能であり、且つカートリッジ替刃の出し入れが一定の力で容易に行えるという効果を同時に奏することができる。
【００１１】
請求項２は、カートリッジ替刃の出し入れの際にそのカートリッジ替刃に押されて保持装置が最大変位したときに、保持装置がその隣の収納室に収納されたカートリッジ替刃に接触しないだけの距離が、隣のカートリッジ替刃と保持装置との間に置かれている。したがって、保持装置は隣のカートリッジ替刃に接することなく最大変位するので隣室のカートリッジ替刃の影響を受けず、カートリッジ替刃の出し入れを容易に行うことができる。
【００１２】
請求項３は、保持装置が、上方に向かって立ち上がり、且つ隔壁よりも高さが低く形成されている。したがって、収納されたカートリッジ替刃の保持作用が隔壁よりも低い位置で行われるので、保持装置はカートリッジ替刃を収納室の底に確実に保持しカートリッジ替刃のガタつきを防止することができる。
【００１３】
請求項４は、隔壁に切欠きが設けられ、この切欠きの中に保持装置が形成されている。したがって、保持装置を隔壁とは別に形成した場合に比べて仕切構造を薄くすることができるので、容器をコンパクトに形成することができる。
【００１４】
請求項５は、保持装置が、隔壁に対して、その保持装置が保持作用をなす収納室寄りに偏倚して形成されている。したがって、収納室に収納されたカートリッジ替刃は保持装置に保持したときに隔壁には接していないから、カートリッジ替刃の出し入れの際に隔壁との摩擦がなく容易に出し入れすることができる。
【００１５】
請求項６は、容器の底に窓部が設けられ、この窓部は、隣り合う収納室の間を渡って形成され、且つ隔壁と同じ方向に延びている。したがって、上面にシェービングエイドを設けたカートリッジ替刃を収納したときに、シェービングエイドに対向する容器の底に窓部があるので、髭剃り時に濡れたシェービングエイドを早期に乾燥することができる。また、容器の底に隔壁を跨ぐように窓部を設けても保持装置はそれと一体に連結した隔壁に支持されるから、容器に窓部および変位可能な保持装置を設けることができる。
【００１６】
請求項７は、窓部が、切欠きの位置を超えて隔壁と同じ方向に延びている。したがって、切欠き内の隔壁の上下幅は狭いので、この狭い部分のねじれによっても保持装置が変位し、保持装置の撓みと相俟ってカートリッジ替刃の出し入れがさらに容易となる。
【００１７】
請求項８は、隔壁の両端が側壁と一体につながっている。隔壁を側壁に一体につなげることによって、隔壁は強固に支持されて破損する虞がなく、容器の強度が大きくなって容易に変形することがないのである。容器の底に窓部を設けその窓部が両側壁近くまで長く延びているときに、隔壁の両端が側壁と一体につながっていないときは、隔壁は強固に支持されていないので破損する虞があり、容器全体の強度も弱くなる。隔壁を側壁に一体につなげることによって、前述同様隔壁および容器の強度を大きくすることができる。
【発明を実施するための最良の形態】
【００１８】
次に本発明を実施するための最良の形態について説明する。容器１はプラスチックで一体に成形されており、２つの収納室２，３を有し、それらの収納室の間に仕切構造である隔壁４および保持部５，５が設けられている。隔壁４はその両端が両側壁６，６と一体に連結されて、両側壁６，６の間に延びている。隔壁４に２つの切欠き７，７が設けられ、この切欠き７，７の中に前述した保持部５，５が立ち上がるように設けられている。保持部５，５はそれ自身の弾性によって撓みによる変位が可能であり、収納部２，３のいずれの方向にも変位することができる。なお、保持部５は、隔壁４に切欠き７を設けなくても、例えば切欠き７の部分を薄肉に形成することによって設けてもよい。薄肉部を設けることによってその部分が容易に撓むから、切欠き７を設けたときと同様に保持部５は変位することができる。また、２つの保持部５，５は容器の隔壁に垂直な中心線に関し左右対称に設けられているが、本発明はこれに限定されるものではなく、左右対称でなくてもよい。収納室２の隔壁４方向の長さは約４０．６ｍｍであり、隔壁４と垂直方向の長さは約１１．８ｍｍである。容器の底１２から立ち上がる隔壁４の高さは約６．０ｍｍであり、容器の底１２の面から保持部５の頂部までの高さは約４．０ｍｍである。保持部５は頂部に行くに従って幅がやや狭くなるように形成されており、その頂部の幅は約２ｍｍである。切欠き７は上方に行くに従って幅がやや広くなるように形成されており、上端の幅は約５．０ｍｍである。また、切欠き７の隔壁４に対する深さは約４．０ｍｍである。
【００１９】
図１に示すように、保持部５は隔壁４よりも低く形成され、内側を向く突起８が一体に設けられている。また、図３に示すように保持部５は隔壁４に対してその収納室２寄りに偏倚しているので、保持部５の背面も、隣の収納室３側の隔壁４の内面に対して偏倚している。保持部５のみを隔壁４に対して偏倚させると、保持部５と隔壁４との連結部の肉厚が薄くなってその部分から破損する虞があるので、保持部５の下側に肉厚の補強部９を設けて保持部５の破損を防止している。保持部５を偏倚させることにより、図３に示すように保持部５と隣の収納室３に収納されたカートリッジ替刃１０との間に距離が置かれ、保持部５は独自に隣の収納室３方向へ変位することができる。したがって、カートリッジ替刃１１の出し入れの際に、保持部５は隣の収納室３方向に変位して突起８の保持状態が解除される。また、保持部５が隣の方向に変位しても隣のカートリッジ替刃１０に接触することはない。なお、保持部５は上に立ち上がるように形成するものに限定されることはなく、保持部５を隔壁４の上端で連結するように構成し、すなわち保持部が下向きに延びるように形成してもよい。
【００２０】
容器１の底１２には、隣り合う収納室２，３の間を渡って隔壁４方向に延びる長円形の窓部１３が設けられている。窓部１３の長さは約２７．５ｍｍで幅は約５．０ｍｍである。この窓部１３は、隔壁４の収納室３側の内面に設けられた突起２３，２３よりも側壁６に近づくように延びており、この窓部１３を設けることにより窓部１３に架かる隔壁４の部分は容易に撓むことになる。また、図３に示すように、上下逆さに収納されたカートリッジ替刃１１の上面１４に設けられた帯状のシェービングエイド１５が窓部１３から覗くので、ヒゲ剃りによって濡れたシェービングエイド１５の乾燥を早めることができる。さらに、収納室２，３の底の両側には小窓１６，１７が設けられている。この小窓１６，１７を設けた理由は、カートリッジ替刃１１の上面１４の両側には側方シェービングエイド（図示せず。）が設けられており、ヒゲ剃りによって濡れた側方シェービングエイドを小窓１６，１７から覗かせて乾燥を早めるためである。
【００２１】
収納室２，３の底の両側には突部１８，１９が設けられており、収納されたカートリッジ替刃１０，１１を支持する作用をなす。また、隔壁４の内面の両側に縦方向に延びる突条２０，２０が設けられており、カートリッジ替刃１０を安定させる作用をなす。収納室２には隔壁４に対向する隔壁２１が設けられており、その内面上部に突起２２，２２が一体に形成されている。この突起２２，２２の係止作用によって収納されたカートリッジ替刃１１が、少しの衝撃などで収納室２から外れ出ることを確実に防止できる。この隔壁２１はカートリッジ替刃１１の出し入れの際にほとんど撓まず、したがって突起２２，２２もほとんど変位しない。
【００２２】
隣の収納室３側の隔壁４の内面上部に突起２３，２３が設けられており、収納室３に収納されたカートリッジ替刃１０が少しの衝撃などで収納室３から外れ出ることを確実に防止できる。この突起２３，２３は、保持部に設けられた突起８，８よりも側壁６寄りに設けられている。収納室３には隔壁４に対向する隔壁２４が設けられており、この隔壁２４には２つの切欠き２５，２５が設けられている。さらに、切欠き２５，２５内に保持部２６，２６が立ち上がるように設けられている。保持部２６，２６はそれ自身の弾性によって撓みによる変位が可能であり、内側を向く突起２７，２７が一体に形成されている。なお、この突起２７，２７は隔壁２４の内面よりも突出しているが、隔壁２４に設けられた保持部２６，２６は隔壁２４に対して偏倚していない。その理由は、隔壁２４と容器の端壁２８との間に空間を設けてあるが、この空間にカートリッジ替刃が収納されることはなく、保持部２６，２６を偏倚させなくてもこれらの保持部はカートリッジ替刃１０の出し入れの際に端壁２８側に変位できるからである。図４に示すように容器1の底面には矢印２９が描かれている。これは、容器１を容器スタンドに掛けるときの上下を示している。
【００２３】
図５および図６は他の実施形態を示すものであって、図６に示すように隔壁３０に幅の広い切欠き３１を設けることにより、保持部３２を形成したものである。前述の最良の実施形態と同じように保持部３２は切欠き３１から立ち上がるように形成されているから、保持部３２はその弾性によって変位可能である。保持部３２に２つの突起３４，３４が一体に設けられているので、この突起３４，３４によってカートリッジ替刃を保持することができる。図５に示すように、容器の底に窓部３３が形成されている。この窓部３３から覗ける隔壁３０から明らかなように、隔壁３０の途中に傾斜部３５，３５を形成することにより、保持部３２は隔壁３０に対して偏倚して形成されている。
【００２４】
この実施形態においてカートリッジ替刃を収納室３６から出し入れする際に、カートリッジ替刃が突起３４，３４を押すことにより、保持部３２が全体的に隣の収納室３７方向に弾性的に変位するので保持部３２の係合状態が解除されるのである。隣の収納室３７にカートリッジ替刃が収納されていても、保持部３２は隔壁３０から偏倚しているので保持部３２は容易に変位して、カートリッジ替刃の出し入れは容易に行われる。
【図面の簡単な説明】
【００２５】
【図１】本発明の斜視図
【図２】図１に対して本発明を反対側から見た斜視図
【図３】カートリッジ替刃を収納した状態の本発明の断面図
【図４】本発明の底面図
【図５】他の実施態様の底面図
【図６】図５における隔壁の構成を示す断面図
【符号の説明】
【００２６】
１  容器
２  収納室
３  収納室
４  隔壁
５  保持部
６  側壁
７  切欠き
８  突起
９  補強部
１０  カートリッジ替刃
１１  カートリッジ替刃
１２  底
１３  窓部
１４  カートリッジ替刃の上面
１５  シェービングエイド
１６  小窓
１７  小窓
１８  突部
１９  突部
２０  突条
２１  隔壁
２２  突起
２３  突起
２４  隔壁
２５  切欠き
２６  保持部
２７  突起
２８  端壁
２９  矢印
３０  隔壁
３１  切欠き
３２  保持部
３３  窓部
３４  突起
３５  傾斜部
３６  収納室
３７  収納室
【図１】
2006075188.tif 000003
【図２】
2006075188.tif 000004
【図３】
2006075188.tif 000005
【図４】
2006075188.tif 000006
【図５】
2006075188.tif 000007
【図６】
2006075188.tif 000008